(57)【要約】【課題】座った人が接触する接触部材と、接触する側からみて背面にある背面部材とが取り付けやすく、かつ取り外しやすい椅子の提供。【解決手段】座った人が接触する接触部材と、接触する側からみて背面にある背面部材とを有する椅子であって、前記接触部材及び前記背面部材の一方に突出部が設けられ、前記接触部材及び前記背面部材の他方に該突出部の突出方向と略直交方向にスライドして該突出部と脱離可能な係合部が設けられている椅子である。前記接触部材が背受部材であり、背面部材が背受背面部材である態様、前記接触部材が座部材であり、背面部材が座背面部材である態様などが好ましい。【選択図】図４Ｂ
2011183107.tif 000002
【特許請求の範囲】
【請求項１】
座った人が接触する接触部材と、接触する側からみて背面にある背面部材とを有する椅子であって、
前記接触部材及び前記背面部材の一方に突出部が設けられ、前記接触部材及び前記背面部材の他方に該突出部の突出方向と略直交方向にスライドして該突出部と脱離可能な係合部が設けられていることを特徴とする椅子。
【請求項２】
接触部材及び背面部材の一方にズレ防止用突起部が設けられ、前記接触部材及び前記背面部材の他方に該ズレ防止用突起部と係合可能なズレ防止用係合部が設けられている請求項１に記載の椅子。
【請求項３】
接触部材が背受部材であり、背面部材が背受背面部材である請求項１から２のいずれかに記載の椅子。
【請求項４】
接触部材が座部材であり、背面部材が座背面部材である請求項１から２のいずれかに記載の椅子。
【請求項５】
背受部材及び背受背面部材の間に、背受部と座部を連結する連結部材を有し、
前記背受部材及び前記背受背面部材のいずれかにズレ防止用突起部が設けられ、前記連結部材に該ズレ防止用突起部と係合可能なズレ防止用係合部が設けられている請求項３に記載の椅子。
【請求項６】
突出部が非対称形状である請求項１から５のいずれかに記載の椅子。
【発明の詳細な説明】
【技術分野】
【０００１】
本発明は、座った人が接触する接触部材（例えば背受部材、座部材等）と、接触する側からみて背面に位置する背面部材（例えば背受背面部材、座背面部材等）とが取り付けやすく、かつ取り外しやすい椅子に関する。
【背景技術】
【０００２】
椅子の背受け部の構成としては、座った人が接触する接触部材としての背受部材（「背張り部材」と称することもある）と、接触する側からみて背面に位置する背面部材としての背受背面部材（「背カバー部材」と称することもある）とを有するものが一般的である。また、椅子の座部の構成としては、座った人が接触する接触部材としての座部材（「座張り部材」と称することもある）と、接触する側からみて背面に位置する背面部材としての座背面部材（「座カバー部材」と称することもある）とを有するものが一般的である（例えば特許文献１及び２参照）。
最近では、環境破壊に対する意識の高まりを背景として、リサイクルに対する要請が強まっており、椅子についても接触部材（例えば背受部材、座部材等）と、背面部材（例えば背受背面部材、座背面部材等）とを、容易に取り外し及び取り付けることができ、接触部材及び背面部材が汚れたり、破損した場合に新しい部品に交換できることが望まれている。
【０００３】
例えば、背受部材と背受背面部材とを押し付けて取り付けるタイプでは、図９に示すように、接触部材としての背受部材２に対し、背面部材としての背受背面部材１を図中矢印Ａ方向に押し付けて、背受背面部材１に設けられた突出部３と、背受部材２に設けられた四角ボックス状の係合部４（図１０参照）とを係合させることにより、背受背面部材１と背受部材２とを容易かつ強固に取り付けることができる。一方、背受背面部材１と背受部材２とは使用時に外れないように、突出部３と係合部４が強固に係合しているため、背受背面部材１と背受部材２とを取り外すのが困難であり、取り外し時に背面部材１と背受部材２が破損してしまうこともあった。
また、図示を省略しているが、背受部材と背受背面部材をスライドさせて取り付け、かつ取り外すタイプでは、取り外し時には、背受部材に対し背受背面部材をスライドさせて突出部と係合部の係合状態を解除できるので両者を取り外すのは容易である。一方、取り付け時には、背受部材に背受背面部材をスライド可能に係合させて取り付けるのは熟練が要り、背受部材のカバー等の他の部材が邪魔になって容易に取り付けるのは困難であった。
【０００４】
このように従来技術では、背受部材と背受背面部材の取り付け及び取り外しを一方向で行っているため、取り付け及び取り外しのいずれかが困難であった。このことは、接触部材としての座部材と背面部材としての座背面部材との取り付け及び取り外しを行う場合にも同様に生じる課題であった。
したがって、座った人が接触する接触部材（例えば背受部材、座部材等）と、接触する側からみて背面に位置する背面部材（例えば背受背面部材、座背面部材等）とが取り付けやすく、かつ取り外しやすい、利便性に優れた椅子は未だ提供されていないのが現状である。
【先行技術文献】
【特許文献】
【０００５】
【特許文献１】特開平１１−１２８０２２号公報
【特許文献２】特開２００１−９５６４２号公報
【発明の概要】
【発明が解決しようとする課題】
【０００６】
本発明は、従来における前記問題を解決し、以下の目的を達成することを課題とする。
即ち、本発明は、座った人が接触する接触部材（例えば背受部材、座部材等）と、接触する側からみて背面に位置する背面部材（例えば背受背面部材、座背面部材等）とが取り付けやすく、かつ取り外しやすい椅子を提供することを目的とする。
【課題を解決するための手段】
【０００７】
前記課題を解決するための手段としては、以下の通りである。即ち、
＜１＞  座った人が接触する接触部材と、接触する側からみて背面にある背面部材とを有する椅子であって、
前記接触部材及び前記背面部材の一方に突出部が設けられ、前記接触部材及び前記背面部材の他方に該突出部の突出方向と略直交方向にスライドして該突出部と脱離可能な係合部が設けられていることを特徴とする椅子である。
該＜１＞に記載の椅子においては、座った人が接触する接触部材と、接触する側からみて背面にある背面部材とを有している。前記接触部材及び前記背面部材の一方に突出部が設けられている。前記接触部材及び前記背面部材の他方に該突出部の突出方向と略直交方向にスライドして該突出部と脱離可能な係合部が設けられている。
前記接触部材と前記背面部材とを取り付ける際には、前記接触部材と前記背面部材を押し付けて前記突出部と前記係合部を係合させることにより、前記接触部材と前記背面部材を容易かつ強固に取り付けることができる。
前記接触部材と前記背面部材とを取り外す際には、前記接触部材及び前記背面部材の少なくともいずれかをスライドさせることで、前記突出部と前記係合部の係合状態が解除され、前記接触部材及び前記背面部材を破損させることなく、容易に取り外すことができる。
したがって本発明の椅子においては、前記接触部材と前記背面部材との取り付け方向と脱離方向とが異なる（前記接触部材と前記背面部材の取り付け及び取り外しを異なる２方向で行う）ので、前記接触部材と前記背面部材とが取り付けやすく、かつ取り外しやすいという優れた特徴を有している。
＜２＞  接触部材及び背面部材の一方にズレ防止用突起部が設けられ、前記接触部材及び前記背面部材の他方に該ズレ防止用突起部と係合可能なズレ防止用係合部が設けられている前記＜１＞に記載の椅子である。
該＜２＞に記載の椅子においては、接触部材及び背面部材の一方にズレ防止用突起部が設けられている。前記接触部材及び前記背面部材の他方に該ズレ防止用突起部と係合可能なズレ防止用係合部が設けられている。前記ズレ防止用突起部と前記ズレ防止用係合部とが係合すると、椅子に人が座って荷重が掛かった際にも接触部材及び背面部材の少なくともいずれかがズレることを確実に防止できる。
＜３＞  接触部材が背受部材であり、背面部材が背受背面部材である前記＜１＞から＜２＞のいずれかに記載の椅子である。
該＜３＞に記載の椅子においては、背受部では、接触部材が背受部材であり、背面部材が背受背面部材である。前記背受部材及び前記背受背面部材の一方に突出部が設けられ、前記背受部材及び前記背受背面部材の他方に該突出部の突出方向と略直交方向にスライドして該突出部と脱離可能な係合部が設けられている。
前記背受部材と前記背受背面部材とを取り付ける際には、前記背受部材と前記背受背面部材を押し付けて前記突出部と前記係合部を係合させることにより、前記背受部材と前記背受背面部材を容易かつ強固に取り付けることができる。
前記背受部材と前記背受背面部材とを取り外す際には、前記背受部材及び前記背受背面部材の少なくともいずれかをスライドさせることで、前記突出部と前記係合部の係合状態が解除され、前記背受部材及び前記背受背面部材を破損させることなく、容易に取り外すことができる。
＜４＞  接触部材が座部材であり、背面部材が座背面部材である前記＜１＞から＜２＞のいずれかに記載の椅子である。
該＜４＞に記載の椅子においては、座部では、接触部材が座部材であり、背面部材が座背面部材である。前記座部材及び前記座背面部材の一方に突出部が設けられ、前記座部材及び前記座背面部材の他方に該突出部の突出方向と略直交方向にスライドして該突出部と脱離可能な係合部が設けられている。
前記座部材と前記座背面部材とを取り付ける際には、前記座部材と前記座背面部材を押し付けて前記突出部と前記係合部を係合させることにより、前記座部材と前記座背面部材を容易かつ強固に取り付けることができる。
前記座部材と前記座背面部材とを取り外す際には、前記座部材及び前記座背面部材の少なくともいずれかをスライドさせることで、前記突出部と前記係合部の係合状態が解除され、前記座部材と前記座背面部材を破損させることなく、容易に取り外すことができる。
＜５＞  背受部材及び背受背面部材の間に、背受部と座部を連結する連結部材を有し、
前記背受部材及び前記背受背面部材のいずれかにズレ防止用突起部が設けられ、前記連結部材に該ズレ防止用突起部と係合可能なズレ防止用係合部が設けられている前記＜３＞に記載の椅子である。
該＜５＞に記載の椅子においては、背受部が比較的小型である場合には、前記背受部材及び前記背受背面部材のいずれかに設けられたズレ防止用突起部を、背受部と座部を連結する連結部材に設けられたズレ防止用係合部と係合させる。
前記背受部材と前記背受背面部材とを取り付けると、前記ズレ防止用突起と前記ズレ防止用係合部とが強固に係合され、人が椅子に座って荷重がかかっても前記背受部材と前記背受背面部材がズレることなく、確実に固定できる。
＜６＞  突出部が非対称形状である前記＜１＞から＜５＞のいずれかに記載の椅子である。
該＜６＞に記載の椅子においては、突出部が非対称形状である。すると前記突出部と係合する係合部も非対称形状となる。例えばボックス状係合部の一の壁面及び該係合部と係合する突出片にアール（Ｒ）を持たせると、前記接触部材と前記背面部材を取り付ける際にボックス状係合部のＲに倣って突出部を係合させることができ、位置決めが容易となる。
【発明の効果】
【０００８】
本発明によると、従来における問題を解決することができ、座った人が接触する接触部材（例えば背受部材、座部材等）と、接触する側からみて背面にある背面部材（例えば背受背面部材、座背面部材等）とが取り付けやすく、かつ取り外しやすい椅子を提供することができる。
【図面の簡単な説明】
【０００９】
【図１Ａ】図１Ａは、背受背面部材の一例を示す平面図である。
【図１Ｂ】図１Ｂは、図１ＡのＡ−Ａ線での断面図である。
【図１Ｃ】図１Ｃは、図１Ａの突出部の拡大図である。
【図１Ｄ】図１Ｄは、突出部の他の例を示す拡大図である。
【図２Ａ】図２Ａは、背受部材の一例を示す平面図である。
【図２Ｂ】図２Ｂは、図２ＡのＢ−Ｂ線での断面図である。
【図２Ｃ】図２Ｃは、図２Ａの係合部の拡大図である。
【図２Ｄ】図２Ｄは、係合部の他の例を示す拡大図である。
【図３】図３は、クッション材及びカバーを有する背受背面部材と、背受部材とを取り付けた背受部の断面図である。
【図４Ａ】図４Ａは、背受部材と背受背面部材を取り付ける様子を示す斜視図である。
【図４Ｂ】図４Ｂは、背受部材と背受背面部材を取り外す様子を示す斜視図である。
【図５Ａ】図５Ａは、座部材と座背面部材を取り付ける様子を示す斜視図である。
【図５Ｂ】図５Ｂは、座部材と座背面部材を取り外す様子を示す斜視図である。
【図６Ａ】図６Ａは、背受背面部材の他の一例を示す平面図である。
【図６Ｂ】図６Ｂは、背受部材の他の一例を示す平面図である。
【図７Ａ】図７Ａは、背受背面部材の更に他の一例を示す平面図である。
【図７Ｂ】図７Ｂは、背受部材の更に他の一例を示す平面図である。
【図８】図８は、座部材と座背面部材を取り付ける様子を示す別の斜視図である。
【図９】図９は、従来の椅子の背受部材と背受背面部材を取り付ける様子を示す斜視図である。
【図１０】図１０は、図９の係合部を示す拡大図である。
【発明を実施するための形態】
【００１０】
本発明の椅子は、接触部材と、背面部材とを有し、更に必要に応じてその他の部材を有してなる。
【００１１】
＜接触部材＞
前記接触部材は、椅子に座った人が接触する部材であれば特に制限はなく、目的に応じて適宜選択することができ、例えば背受部材、座部材などが挙げられる。
【００１２】
−背受部材（背張り部材）−
前記背受部材は、椅子に座った人の背中部分が接触可能であれば大きさ、形状、構造、材質等については、特に制限はなく、目的に応じて適宜選択することができる。前記材質としては、例えばステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂などが挙げられる。これらの中でも、成形性、強度などの点からポリプロピレン樹脂が特に好ましい。
前記背受部材の形状、大きさ等についても、特に制限はなく、目的に応じて適宜選択することができ、通常用いられる程度の形状及び大きさが好ましい。
前記背受部材の構造としては、単層構造又は２層構造であることが好ましい。
【００１３】
前記背受部材の座った人の接触する側の面には、外皮（カバー）に被覆されたクッション材を有することが好ましい。前記クッション材としては、大きさ、形状、構造、材質などについては特に制限はなく、目的に応じて適宜選択することができる。前記材質としては、例えばポリウレタンなどが挙げられる。
前記クッション材の形状、大きさ等についても、特に制限はなく、目的に応じて適宜選択することができ、通常用いられる程度の形状及び大きさが好ましい。
前記クッション材の構造としては、単層構造又は２層構造であることが好ましい。
前記外皮（カバー）としては、特に制限はなく、目的に応じて適宜選択することができるが、天然繊維からなる布、合成繊維からなる布、皮、合成皮などが挙げられる。
【００１４】
前記背受部材の椅子に座った人が接しない側の面には、後述する突出部又は係合部を有し、後述するズレ防止用突起部又はズレ防止用係合部を有することが好ましく、背受部と座部を連結する連結部材との結合部を有することが好ましい。なお、背受背面部材に連結部を設けて連結部材と結合させてもよい。
前記突出部、前記係合部、前記ズレ防止用突起部、及び前記ズレ防止用係合部は、前記背受部材と一体及び別体のいずれでもよいが、一体（一部材）であることが好ましい。
前記背受部材と前記連結部材との結合部は、特に制限はなく、目的に応じて適宜選択することができるが、ビス止め、ネジ止め、係合具、スライド係合具などが挙げられる。
前記連結部材としては、背受部と座部を連結することができれば大きさ、形状、構造、材質などについては特に制限はなく、目的に応じて適宜選択することができる。前記材質としては、例えばステンレススチール、アルミニウム、鉄等の金属、ポリカーボネート樹脂、ポリ塩化ビニル樹脂、ポリプロピレン樹脂、ＡＢＳ樹脂、ＦＲＰ、ナイロン等の樹脂などが挙げられる。
【００１５】
−座部材（座張り部材）−
前記座部材としては、椅子に座った人の臀部が接触可能であれば大きさ、形状、構造、材質等については、特に制限はなく、目的に応じて適宜選択することができる。前記材質としては、例えばステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂などが挙げられる。これらの中でも、成形性、強度などの点からポリプロピレン樹脂が特に好ましい。
前記座部材の形状、大きさ等についても、特に制限はなく、目的に応じて適宜選択することができ、通常用いられる程度の形状及び大きさが好ましい。
前記座部材の構造としては、単層構造又は２層構造であることが好ましい。
【００１６】
前記座部材の椅子に座った人の接触する側の面には、外皮（カバー）に被覆されたクッション材を有することが好ましい。前記クッション材としては、大きさ、形状、構造、材質などについては特に制限はなく、目的に応じて適宜選択することができる。前記材質としては、例えばポリウレタンなどが挙げられる。
前記クッション材の形状、大きさ等についても、特に制限はなく、目的に応じて適宜選択することができ、通常用いられる程度の形状及び大きさが好ましい。
前記クッション材の構造としては、単層構造又は２層構造であることが好ましい。
前記外皮（カバー）としては、特に制限はなく、目的に応じて適宜選択することができるが、天然繊維からなる布、合成繊維からなる布、皮、合成皮などが挙げられる。
【００１７】
前記座部材の椅子に座った人が接触しない側の面には、後述する突出部又は係合部を有し、後述するズレ防止用突起部又はズレ防止用係合部を有することが好ましく、脚取り付け具を有することが好ましい。
前記突出部、前記係合部、前記ズレ防止用突起部、及び前記ズレ防止用係合部は、前記座部材と一体及び別体のいずれでもよいが、一体（一部材）であることが好ましい。
前記脚取り付け具により、座部は脚部と接続される。前記脚取り付け具としては、特に制限はなく、目的に応じて適宜選択することができ、例えばステンレススチール製脚取り付け具、アルミニウム製脚取り付け具、鉄製脚取り付け具、樹脂製脚取り付け具、などが挙げられる。
【００１８】
＜背面部材＞
前記背面部材は、前記接触部材を固定する部材であれば特に制限はなく、目的に応じて適宜選択することができるが、例えば背受背面部材、座背面部材などが挙げられる。
【００１９】
−背受背面部材（背カバー部材）−
前記背受背面部材は、前記接触部材としての背受部材を固定する部材である。
前記背受背面部材としては、その大きさ、形状、構造、材質等については、特に制限はなく、目的に応じて適宜選択することができる。前記材質としては、例えばステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂などが挙げられる。これらの中でも、成形性、強度などの点からポリプロピレン樹脂が特に好ましい。
前記背受背面部材の形状、大きさ等についても、特に制限はなく、目的に応じて適宜選択することができ、通常用いられる程度の形状及び大きさが好ましい。
前記背受背面部材の構造としては、単層構造又は２層構造であることが好ましい。
【００２０】
前記背受背面部材は、背受部材側の面に、後述する突出部又は係合部を有し、後述するズレ防止用突起部又はズレ防止用係合部を有することが好ましい。前記ズレ防止用突起部又はズレ防止用係合部は、前記背受背面部材と一体及び別体のいずれでもよいが、一体（一部材）であることが好ましい。
【００２１】
−座背面部材（座カバー部材）−
前記座背面部材は、前記接触部材としての座部材を固定する部材である。
前記座背面部材としては、その大きさ、形状、構造、材質等については、特に制限はなく、目的に応じて適宜選択することができる。前記材質としては、例えばステンレススチール、アルミニウム、鉄等の金属；ポリカーボネート樹脂、ポリ塩化ビニル樹脂、ポリプロピレン樹脂、ＡＢＳ樹脂、ＦＲＰ、ナイロン等の樹脂などが挙げられる。これらの中でも、成形性、強度などの点からポリプロピレン樹脂が特に好ましい。
前記座背面部材の形状、大きさ等についても、特に制限はなく、目的に応じて適宜選択することができ、通常用いられる程度の形状及び大きさが好ましい。
前記座背面部材の構造としては、単層構造又は２層構造であることが好ましい。
【００２２】
前記座背面部材は、座部材側の面に、後述する突出部又は係合部を有し、後述するズレ防止用突起部又はズレ防止用係合部を有することが好ましい。前記突出部、係合部、ズレ防止用突起部又はズレ防止用係合部は、前記座背面部材と一体及び別体のいずれでもよいが、一体（一部材）であることが好ましい。
前記座背面部材は、座部材の脚取り付け具を有する部分は開口されていることが好ましい。
【００２３】
＜＜突出部、係合部＞＞
前記接触部材及び前記背面部材の一方に突出部が設けられており、前記接触部材及び前記背面部材の他方に該突出部と係合して、取り外し時には脱離可能な係合部が設けられている。即ち、前記接触部材に突出部が設けられると、係合部は前記背面部材に設けられている。一方、前記接触部材に係合部が設けられると、突出部は前記背面部材に設けられている。
背受部においては、前記接触部材が背受部材であり、前記背面部材が背受背面部材であるので、前記背受部材に突出部が設けられると、係合部は前記背受背面部材に設けられている。一方、前記背受部材に係合部が設けられると、突出部は前記背受背面部材に設けられている。
座部においては、前記接触部材が座部材であり、前記背面部材が座背面部材であるので、前記座部材に突出部が設けられると、係合部は前記座背面部材に設けられている。一方、前記座部材に係合部が設けられると、突出部は前記座背面部材に設けられている。
【００２４】
−突出部−
前記突出部は、前記接触部材及び前記背面部材の一方に設けられていれば、数、大きさ、形状、構造、材質等については特に制限はなく、目的に応じて適宜選択することができる。
前記突出部の数としては、１つ以上が好ましく、２つ〜１０つであることがより好ましい。前記突出部の形状としては、例えば、直線状、曲線状、点状、及び突起状の少なくともいずれかに形成されていることが好ましい。その結果、前記突出部と前記係合部は、線と線、線と点、曲線と点、面と面、及び面と曲線のいずれかの態様により係合可能となる。
前記突出部の大きさについては、特に制限はなく、目的に応じて適宜選択することができる。
前記突出部の材質としては、例えば、鉄、アルミニウム、ステンレススチール等の金属材料；ポリカーボネート樹脂、ポリ塩化ビニル樹脂、ポリプロピレン樹脂、ＡＢＳ樹脂、ＦＲＰ、ナイロン等の合成樹脂、などが挙げられる。これらの中でも、成形性、強度などの点からポリプロピレン樹脂が特に好ましい。
前記突出部の材質として、合成樹脂を用いると複雑な形状の突出部であっても成形することができ、成形用金型を用いて、前記接触部材及び前記背面部材と一体成形でき、大量生産が可能となる。また、本発明では、前記接触部材と前記背面部材の取り外し時に突出部の破損が防止され、部品の交換が少なくなるので、コスト面から、一体（一部材）であることが好ましい。
前記突出部の形状については、対称形状及び非対称形状のいずれであっても構わないが、位置決めが容易となり、ズレを防止できる点から非対称形状であることがより好ましい。
前記対称形状としては、特に制限はなく、目的に応じて適宜選択することができ、例えば円形状、正方形、長方形、三角形などが挙げられる。
前記非対称形状としては、特に制限はなく、目的に応じて適宜選択することができ、例えば略Ｄ字形状、略Ｌ字形状、略Ｊ字形状、略台形状、矩形状などが挙げられる。
前記非対称形状の一例としては、突出部の外側突出片にアール（Ｒ）を持たせ、該外側突出片と係合する外側係合壁にアール（Ｒ）を持たせたもの、突出部の内側突出片にアール（Ｒ）を持たせ、該内側突出片と係合する内側係合壁にアール（Ｒ）を持たせたもの、などが好適である。
【００２５】
−係合部−
前記係合部は、前記接触部材及び前記背面部材の一方に設けられていれば、数、大きさ、形状、構造、材質等については特に制限はなく、目的に応じて適宜選択することができる。
前記係合部の数としては、１つ以上が好ましく、２つ〜１０つであることがより好ましい。前記係合部の形状としては、例えば、直線状、曲線状、点状、及びボックス状の少なくともいずれかに形成されていることが好ましい。その結果、前記突出部と前記係合部は、線と線、線と点、曲線と点、面と面、及び面と曲線のいずれかの態様により係合可能となる。これらの中でも、ボックス状係合部が特に好ましい。
前記係合部の形状としては、前記突出部の形状に合わせて、対称形状及び非対称形状のいずれかに形成される。
前記対称形状としては、特に制限はなく、目的に応じて適宜選択することができ、例えば円形状、正方形、長方形、三角形などが挙げられる。
前記非対称形状としては、特に制限はなく、目的に応じて適宜選択することができ、例えば略Ｄ字形状、略Ｌ字形状、略Ｊ字形状、略台形状、矩形状などが挙げられる。このように非対称形状とすると、突出部と係合部が係合する際に抵抗が生じるので、容易に位置決めができ、ズレを防止できる。
前記非対称形状の一例としては、突出部の外側突出片にアール（Ｒ）を持たせ、該外側突出片と係合する外側係合壁にアール（Ｒ）を持たせたもの、突出部の内側突出片にアール（Ｒ）を持たせ、該内側突出片と係合する内側係合壁にアール（Ｒ）を持たせたもの、などが好適である。
前記係合部の大きさについては、特に制限はなく、目的に応じて適宜選択することができる。
前記係合部の材質としては、例えば、鉄、アルミニウム、ステンレススチール等の金属材料；ポリカーボネート樹脂、ポリ塩化ビニル樹脂、ポリプロピレン樹脂、ＡＢＳ樹脂、ＦＲＰ、ナイロン等の合成樹脂、などが挙げられる。これらの中でも、成形性、強度などの点からポリプロピレン樹脂が特に好ましい。
前記係合部の材質として、合成樹脂を用いると複雑な形状の係合部であっても成形することができ、成形用金型を用いて、前記接触部材及び前記背面部材と一体成形でき、大量生産が可能となる。また、本発明では、前記接触部材と前記背面部材の取り外し時に係合部の破損が防止され、部品の交換が少なくなるので、コスト面から、一体（一部材）であることが好ましい。
【００２６】
前記係合部は、前記突出部の突出方向と略直交方向にスライドして該突出部と脱離可能である。これにより、前記接触部材及び前記背面部材を破損させることなく、容易に取り外すことができる。
前記係合部は、前記突出部の突出方向と略直交方向であれば、上方向、下方向、右方向、左方向、その他のさまざまな方向にスライド可能に設けることができる。例えば下方向にスライドさせる場合には、ボックス状係合部の下側係合壁に切り欠き又は開口部を設ける。右方向にスライドさせる場合には、ボックス状係合部の右側係合壁に切り欠き又は開口部を設ける。上方向にスライドさせる場合には、ボックス状係合部の上側係合壁に切り欠き又は開口部を設ける。左方向にスライドさせる場合には、ボックス状係合部の左側係合壁に切り欠き又は開口部を設ける。
また、上下両方向にスライド可能とすることもでき、ボックス状係合部の上側及び下側係合壁に切り欠き又は開口部を設ける。この場合には、前記係合部及び突出部を左右非対称形状とすることが好ましい。
また、左右両方向にスライド可能とすることもでき、ボックス状係合部の右側及び左側係合壁に切り欠き又は開口部を設ける。この場合には、前記係合部及び突出部を上下非対称形状とすることが好ましい。
なお、前記突出部の突出方向と略直交方向には、９０°±１５°の範囲が含まれる。
【００２７】
＜＜ズレ防止用突起部、ズレ防止用係合部＞＞
接触部材及び背面部材の一方にズレ防止用突起部が設けられ、前記接触部材及び前記背面部材の他方に該ズレ防止用突起部と係合可能なズレ防止用係合部が設けられている。
前記ズレ防止用突起部と前記ズレ防止用係合部を押し付け、両者を係合させることにより、人が椅子に座って荷重がかかっても前記接触部材と前記背面部材がズレることなく、確実に固定できる。
【００２８】
−ズレ防止用突起部−
前記ズレ防止用突起部は、前記接触部材及び前記背面部材の一方に設けられていれば、数、大きさ、形状、構造、材質等については特に制限はなく、目的に応じて適宜選択することができる。
前記ズレ防止用突起部の数としては、１つ以上が好ましく、２つ〜１０つであることがより好ましい。前記ズレ防止用突起部の形状としては、例えば、直線状、曲線状、点状、面状、及びボックス状の少なくともいずれかに形成されていることが好ましい。その結果、ズレ防止用突起部とズレ防止用係合部は、線と線、線と点、曲線と点、面と面、及び面と曲線のいずれかの態様により係合可能となる。
前記ズレ防止用突起部の大きさについては、特に制限はなく、目的に応じて適宜選択することができる。
前記ズレ防止用突起部の材質としては、例えば、鉄、アルミニウム、ステンレススチール等の金属材料；ポリカーボネート樹脂、ポリ塩化ビニル樹脂、ポリプロピレン樹脂、ＡＢＳ樹脂、ＦＲＰ、ナイロン等の合成樹脂、などが挙げられる。これらの中でも、成形性、強度などの点からポリプロピレン樹脂が特に好ましい。
前記ズレ防止用突起部の材質として、合成樹脂を用いると複雑な形状のズレ防止用突起部であっても成形することができ、成形用金型を用いて、前記接触部材及び前記背面部材と一体成形でき、大量生産が可能となる。
【００２９】
−ズレ防止用係合部−
前記ズレ防止用係合部は、前記接触部材及び前記背面部材の一方に設けられていれば、数、大きさ、形状、構造、材質等については特に制限はなく、目的に応じて適宜選択することができる。
前記ズレ防止用係合部の数としては、１つ以上が好ましく、２つ〜１０つであることがより好ましい。前記ズレ防止用係合部の形状としては、例えば、直線状、曲線状、点状、面状、及びボックス状の少なくともいずれかに形成されていることが好ましい。その結果、ズレ防止用突起部とズレ防止用係合部は、線と線、線と点、曲線と点、面と面、及び面と曲線のいずれかの態様により係合可能となる。
前記ズレ防止用係合部の大きさについては、特に制限はなく、目的に応じて適宜選択することができる。
前記ズレ防止用係合部の材質としては、例えば、鉄、アルミニウム、ステンレススチール等の金属材料；ポリカーボネート樹脂、ポリ塩化ビニル樹脂、ポリプロピレン樹脂、ＡＢＳ樹脂、ＦＲＰ、ナイロン等の合成樹脂、などが挙げられる。これらの中でも、成形性、強度などの点からポリプロピレン樹脂が特に好ましい。
前記ズレ防止用係合部の材質として、合成樹脂を用いると複雑な形状のズレ防止用係合部であっても成形することができ、成形用金型を用いて、前記接触部材及び前記背面部材と一体成形でき、大量生産が可能となる。
【００３０】
前記ズレ防止用突起部及び前記ズレ防止用係合部としては、両者が係合可能なものであればよく、具体的には、ボスとボス穴、丸型スナップ、角型スナップ、ワンプッシュクリップ、などが挙げられる。
【００３１】
−その他の部材−
前記その他の部材としては、特に制限はなく、目的に応じて適宜選択することができ、例えば脚部、キャスター、肘掛け部などが挙げられる。
【００３２】
本発明の椅子は、接触部材と背面部材とを取り付ける際には、接触部材及び背面部材のいずれかに設けられた突出部を、該突出部と係合可能な接触部材及び背面部材のいずれかに設けられた係合部に押し込むことで、前記突出部と前記係合部とが係合して、接触部材と背面部材を容易かつ確実に取り付けることができる。一方、接触部材と背面部材を取り外す際には、突出部の突出方向と略直交方向にスライドさせることにより突出部と係合部との係合状態を解除でき、接触部材及び背面部材を破損させることなく容易に取り外すことができる。
また、前記接触部材及び前記背面部材の一方にズレ防止用突起部を設け、前記接触部材及び前記背面部材の他方に該ズレ防止用突起部と係合可能なズレ防止用係合部を設けると、椅子に人が座って荷重が掛かった際に、接触部材及び背面部材の少なくともいずれかがズレることを確実に防止できる。
この場合、前記接触部材と前記背面部材を取り外す際には、まず、ズレ防止用突起部とズレ防止用係合部との係合状態を解除し、次いで、背面部材を突出部の突出方向と略直交方向にスライドさせることにより、突出部と係合部との係合状態を解除して、接触部材及び背面部材を破損させることなく容易に取り外すことができる。
【００３３】
本発明の椅子は、座った人が接触する接触部材（例えば背受部材、座部材等）と、接触する側からみて背面にある背面部材（例えば背受背面部材、座背面部材等）とが取り付けやすく、かつ取り外しやすいので、例えば事務用椅子、オフィス用椅子、家庭用椅子等の回転椅子；バンケット用椅子、レストラン用椅子、店舗用椅子、会議室用椅子等のパイプ椅子（非回転椅子）；サイドチェア、ロッキングチェア、リクライニングチェアなどの各種椅子に好適に用いられる。
【実施例】
【００３４】
以下、本発明の実施例につき図面を用いて具体的に説明するが、本発明はこの実施例に何ら限定されるものではない。
【００３５】
（第１実施例）
本発明の椅子の第１実施例について説明する。
図１Ａは、第１実施例の椅子の背面部材としての背受背面部材１を示す平面図、図１Ｂは、背受背面部材１のＡ−Ａ線での断面図、図１Ｃは、背受背面部材１の突出部３の拡大図、図１Ｄは、背受背面部材１の突出部３の別の拡大図をそれぞれ表す。
図２Ａは、第１実施例の椅子の接触部材としての背受部材２を示す平面図、図２Ｂは、第１実施例の椅子の接触部材としての背受部材２のＢ−Ｂ線での断面図、図２Ｃは、背受部材２の係合部４の拡大図、図２Ｄは、背受部材２の係合部４の別の拡大図をそれぞれ表す。
図３は、第１実施例の椅子の背面部材としての背受背面部材１と、接触部材としての背受部材２とを、連結部材８を介して取り付けた状態を示す概略断面図である。
図４Ａは、第１実施例の椅子について、背受部材２に、背受背面部材１を取り付ける状態を示す斜視図である。
図４Ｂは、第１実施例の椅子について、背受部材２から、背受背面部材１を取り外す状態を示す斜視図である。
図５Ａは、第１実施例の椅子について、座部材２２に、座背面部材２１を取り付ける状態を示す斜視図である。
図５Ｂは、第１実施例の椅子について、座部材２２から、座背面部材２１を取り外す状態を示す斜視図である。
この第１実施例の椅子は、接触部材として背受部材２及び座部材２２と、背面部材として背受背面部材１及び座背面部材２１とを有している。
【００３６】
−背受部−
背受背面部材１は、図１Ａに示すように、ポリプロピレン樹脂製の平面視で略四角形状であり、四隅と中央上部に合計５つの突出部３と、中央下部に１つのズレ防止用突起部５とを有している。
背受部材２は、図２Ａに示すように、ポリプロピレン樹脂製の平面視で略四角形状であり、四隅と中央上部に合計５つの係合部４を有している。
背受部材２は、図３に示すように、座った人が接触する側の面に外皮９及びクッション材１０を有している。第１実施例では、外皮９として、化学繊維からなる布、クッション材１０として、ポリウレタンを用いている。
【００３７】
突出部３は、図１Ｂに示すように、ポリプロピレン樹脂製であり、背受背面部材１と一体成形されており、先端部が２つに分岐しているので内外方向に弾性変形可能である。
突出部３は、図１Ｃに示すように、係合部４と係合する内側突出片３ａと、外側突出片３ｂとを有している。
突出部３は、図１Ｃに示すように、リブ１４により両側から補強され、強度を確保している。
【００３８】
係合部４は、図２Ｂに示すように、ポリプロピレン樹脂製であり、背受部材２と一体成形されており、図２Ｃに示すように、下側係合壁に開口部４ｃを有するボックス状である。
係合部４は、図２Ｃに示すように、突出部３の突出方向と略直交方向（下方向）にスライドして該突出部３と脱離可能な内側係合壁４ａと、外側係合壁４ｂとを有している。
係合部４の内側係合壁４ａは、突出部３の内側突出片３ａと係合可能である。係合部の外側係合壁４ｂは、突出部３の外側突出片３ｂと係合可能である。
係合部４は、図２Ｃに示すように、リブ１５により両側から補強され、強度を確保している。
【００３９】
突出部３と係合部４は、図２Ｃに示すように、ボックス状係合部４の下側係合壁が開口部４ｃとなっているので、背受部材２と背受背面部材１を取り外す際には、突出部３の突出方向と略直交方向（下側方向）にスライドさせて係合状態を解除し、背受部材２と背受背面部材１を容易に取り外すことができる。
なお、係合部４の下側係合壁に設けられている開口部４ｃは、突出部３の突出方向と略直交方向であれば、上方向、下方向、右方向、左方向、その他のさまざまな方向にスライド可能とすることができ、上側係合壁、右側係合壁、左側係合壁、上側及び下側係合壁、右側及び左側係合壁などに設けることができる。
【００４０】
また、突出部３は、図１Ｄに示すように、非対称形状であり、外側突出片３ｂにアール（Ｒ）を持たせることができる。また、突出部３と係合する係合部４は、図２Ｄに示すように、非対称形状であり、外側突出片３ｂと係合する外側係合壁４ｂにもアール（Ｒ）を持たせることができる。このようにアール（Ｒ）を持たせることにより、背受部材２と背受背面部材１を取り付ける際にＲに倣って突出部を係合させることができ、位置決めが容易となる。この第１実施例では、アール（Ｒ）の曲率半径は５０Ｒである。
なお、図示を省略しているが、内側突出片３ａにアール（Ｒ）を持たせ。該内側突出片３ａと係合する内側係合壁４ａにもＲを持たせても構わない。
【００４１】
背受背面部材１に設けられたズレ防止用突起部５は、図４Ａに示すように、背受部と座部を連結する連結部材８に設けられたズレ防止用係合部１１と係合している。これにより、人が椅子に座って荷重がかかった場合でも背受背面部材１と背受部材２とにズレが生じないように確実に固定される。なお、ズレ防止用突起部５及びズレ防止用係合部１１として丸型スナップ又は角型スナップを用いてもよい。
連結部材８は、スチール製の略角パイプであり、図３及び図４Ａに示すように、背受部材２のビス孔６にビス７で止着されている。
【００４２】
この第１実施例の椅子では、図４Ａに示すように、背受部材２と背受背面部材１とを取り付ける際には、背受部材２に対し、背受背面部材１を矢印Ａ方向に押し付けて、背受背面部材１に設けられた突出部３と、背受部材２に設けられた係合部４とを係合させることにより、両者を容易かつ確実に取り付けることができる。
また、背受背面部材１にズレ防止用突起部５を設け、背受部と座部を連結する連結部材８に該ズレ防止用突起部５と係合可能なズレ防止用係合部１１を設けているので、ズレ防止用突起部５をズレ防止用係合部１１に係合させることにより、人が椅子に座って荷重がかかった場合でも背受部材２と背受背面部材１とのズレを確実に防止できる。
図４Ｂに示すように、背受部材２と背受背面部材１を取り外す際には、まず、ズレ防止用突起部５とズレ防止用係合部１１との係合状態を解除し、次いで、背受背面部材１を突出部３の突出方向と略直交方向（下方向、図４Ｂ中矢印Ｂ方向）にスライドさせることにより、突出部３と係合部４との係合状態を解除し、背受部材２と背受背面部材１を破損させることなく、容易に取り外すことができる。
【００４３】
−座部−
第１実施例の座部は、図５Ａに示すように、接触部材としての座部材２２と、背面部材としての座背面部材２１とを有している。
座部材２２は、図５Ａに示すように、座った人が接触する側の面に外皮２５及びクッション材（不図示）を有している。この第１実施例では、外皮２５として、化学繊維からなる布、クッション材としてポリウレタンを用いている。
【００４４】
座背面部材２１には、図５Ａに示すように、合計５つの突出部３と、２つのズレ防止用突起部２３とが設けられている。
突出部３は、ポリプロピレン樹脂製であり、座背面部材２１と一体成形されており、図１Ｂに示すように、先端部が分岐して内側突出片３ａと、外側突出片３ｂとを有しており、内外方向に弾性変形可能である。
突出部３は、図５Ａに示すように、リブ１７により両側から補強され、強度を確保している。
なお、座背面部材２１の突出部３のその他の点については、背受部材２の突出部３と同様であるため、その説明を省略する。
【００４５】
座部材２２には、図５Ａに示すように、座背面部材２１の突出部３と係合可能な合計５つの係合部４と、２つのズレ防止用係合部２４とが設けられている。
係合部４は、ポリプロピレン樹脂製であり、座部材２２と一体成形されており、図２Ｃに示すように開口部４ｃを有するボックス状であり、突出部３の内側突出片３ａと係合する内側係合壁４ａと、突出部の外側突出片３ｂと係合する外側係合壁４ｂを有している。
座部材２２の係合部４は、図５Ａに示すように、リブ１６により両側から補強され、強度を確保している。
なお、座部材２２の係合部４のその他の点については、背受部材２の係合部４と同様であるため、説明を省略する。
【００４６】
図５Ａに示すように、座背面部材２１のズレ防止用突起部２３は、座部材２２のズレ防止用係合部２４と係合可能である。
【００４７】
この第１実施例の椅子では、図５Ａに示すように、座部材２２と座背面部材２１とを取り付ける際には、座部材２２に対し、座背面部材２１を図中矢印Ｃ方向に押し付けて、座背面部材２１に設けられた突出部３と、座部材２２に設けられた係合部４とを係合させることにより、両者を容易かつ確実に取り付けることができる。
また、座背面部材２１にズレ防止用突起部２３を設け、座部材２２に該ズレ防止用突起部２３と係合可能なズレ防止用係合部２４を設けているので、ズレ防止用突起部２３をズレ防止用係合部２４に係合させることにより、人が椅子に座って荷重がかかった場合でも座部材２２と座背面部材２１とのズレを防止できる。この第１実施例では、ズレ防止用突起部及びズレ防止用係合部として丸型スナップを用いている。なお、丸型スナップ以外にも角型スナップを用いてもよい。
図５Ｂに示すように、座部材２２と座背面部材２１を取り外す際には、まず、ズレ防止用突起部２３とズレ防止用係合部２４との係合状態を解除し、次いで、座背面部材２１を突出部３の突出方向と略直交方向（前方向、図５Ｂ中矢印Ｄ方向）にスライドさせることにより、突出部３と係合部４との係合状態を解除し、座部材２２と座背面部材２１を破損させることなく、容易に取り外すことができる。
【００４８】
（第２実施例）
図６Ａは、第２実施例の椅子の背面部材としての背受背面部材１を示す平面図、図６Ｂは、第２実施例の椅子の接触部材としての背受部材２を示す平面図である。
この第２実施例では、背受部材及び背受背面部材として、第１実施例の背受部材及び背受背面部材よりもやや横長形状のものを用いた以外は、第１実施例と同様であり、共通する部分については、その説明を省略する。
この第２実施例では、背受背面部材１にズレ防止用突起部５を有し、該ズレ防止用突起部５と係合するズレ防止用係合部を、背受部と座部を連結する連結部材（不図示）に有しており、ズレ防止用突起部５とズレ防止用係合部とを係合させることにより、人が椅子に座って荷重がかかった場合でも背受部材２及び背受背面部材１のズレを確実に防止できる。
この第２実施例の椅子では、背受部材２と背受背面部材１とを取り付ける際には、背受部材２に対し、背受背面部材１を押し付けて、背受背面部材１に設けられた突出部３と、背受部材２に設けられた係合部４とを係合させることにより、両者を容易かつ確実に取り付けることができる。
一方、背受部材２と背受背面部材１を取り外す際には、背受背面部材１に設けられたズレ防止用突起部５と、連結部材（不図示）に設けられたズレ防止用係合部との係合状態を解除し、次いで、背受部材２に対し背受背面部材１を突出部３の突出方向と略直交方向（図６Ａ及び図６Ｂでは、下方向）にスライドさせることにより突出部３と係合部４との係合状態を解除し、背受部材２と背受背面部材１を破損させることなく、容易に取り外すことができる。
【００４９】
（第３実施例）
図７Ａは、第３実施例の椅子の背面部材としての背受背面部材１を示す平面図、図７Ｂは、第３実施例の椅子の接触部材としての背受部材２を示す平面図である。
この第３実施例では、背受部材及び背受背面部材として、第１実施例の背受部材及び背受背面部材よりも大型形状のものを用いた以外は、第１実施例と同様であり、共通する部分については、その説明を省略する。
この第３実施例では、背受背面部材１の下部にズレ防止用突起部１２を有し、該ズレ防止用突起部１２と係合するズレ防止用係合部１３を背受部材２の下部に有しており、ズレ防止用突起部１２とズレ防止用係合部１３とを係合させることにより、人が椅子に座って荷重がかかった場合でも背受部材２及び背受背面部材１のズレを確実に防止できる。この第３実施例では、ズレ防止用突起部及びズレ防止用係合部として丸型スナップを用いている。なお、丸型スナップ以外にも角型スナップを用いてもよい。
【００５０】
この第３実施例の椅子では、背受部材２と背受背面部材１とを取り付ける際には、背受部材２に対し、背受背面部材１を押し付けて、背受背面部材１に設けられた突出部３と、背受部材２に設けられた係合部４とを係合させることにより、両者を容易かつ確実に取り付けることができる。
背受部材２と背受背面部材１を取り外す際には、まず、ズレ防止用突起部５とズレ防止用係合部１１との係合状態を解除し、次いで、背受背面部材１を突出部３の突出方向と略直交方向（図７Ａ及び図７Ｂ中では下方向）にスライドさせることにより突出部３と係合部４との係合状態を解除し、背受部材２と背受背面部材１を破損させることなく、容易に取り外すことができる。
【００５１】
（第４実施例）
図８は、第４実施例の座部材と座背面部材を取り付ける様子を示す斜視図である。
この第４実施例では、第１実施例より座背面部材２１に設ける突出部３の数及び座部材２２に設ける係合部４の数を５個から３個に減らした以外は、第１実施例の座部材と座背面部材と同様であり、共通する部分については、その説明を省略する。
【００５２】
この第４実施例の椅子では、図８に示すように、座部材２２と座背面部材２１とを取り付ける際には、座部材２２に対し、座背面部材２１を押し付けて、座背面部材２１に設けられた突出部３と、座部材２２に設けられた係合部４とを係合させることにより、両者を容易かつ確実に取り付けることができる。
また、座背面部材２１にズレ防止用突起部２３を設け、座部材２２に該ズレ防止用突起部２３と係合可能なズレ防止用係合部２４を設けているので、ズレ防止用突起部２３をズレ防止用係合部２４に係合させることにより、人が椅子に座って荷重がかかった場合でも座部材２２と座背面部材２１とのズレを防止できる。この第４実施例では、ズレ防止用突起部及びズレ防止用係合部として丸型スナップを用いている。なお、丸型スナップ以外にも角型スナップを用いてもよい。
座部材２２と座背面部材２１を取り外す際には、まず、ズレ防止用突起部２３とズレ防止用係合部２４との係合状態を解除し、次いで、座部材２２に対し座背面部材２１を突出部３の突出方向と略直交方向（図８中では、前方向）にスライドさせることにより、突出部３と係合部４との係合状態を解除し、座部材２２と座背面部材２１を破損させることなく、容易に取り外すことができる。
【００５３】
以上、本発明の椅子について詳細に説明したが、本発明は上記実施例に限定されず、本発明の要旨を逸脱しない範囲で種々変更しても差支えない。
【産業上の利用可能性】
【００５４】
本発明の椅子は、座った人が接触する接触部材（例えば背受部材、座部材等）と、接触する側からみて背面にある背面部材（例えば背受背面部材、座背面部材等）とが取り付けやすく、かつ取り外しやすいので、例えば事務用椅子、オフィス用椅子、家庭用椅子等の回転椅子；バンケット用椅子、レストラン用椅子、店舗用椅子、会議室用椅子等のパイプ椅子（非回転椅子）；サイドチェア、ロッキングチェア、リクライニングチェアなどの各種椅子に好適に用いることができる。
【符号の説明】
【００５５】
１      背受背面部材
２      背受部材
３      突出部
３ａ      内側突出片
３ｂ      外側突出片
４      係合部
４ａ      内側係合壁
４ｂ      外側係合壁
４ｃ      開口部
５      ズレ防止用突起部
６      ビス穴
７      ビス
８      連結部材
９      外皮（カバー）
１０      クッション材
１１      ズレ防止用係合部
１２      ズレ防止用突起部
１３      ズレ防止用係合部
１４      リブ
１５      リブ
１６      リブ
１７      リブ
２１      座背面部材
２２      座部材
２３      ズレ防止用突起部
２４      ズレ防止用係合部
２５      外皮（カバー）
【図７Ａ】
2011183107.tif 000003
【図７Ｂ】
2011183107.tif 000004
【図１Ａ】
2011183107.tif 000005
【図１Ｂ】
2011183107.tif 000006
【図１Ｃ】
2011183107.tif 000007
【図１Ｄ】
2011183107.tif 000008
【図２Ａ】
2011183107.tif 000009
【図２Ｂ】
2011183107.tif 000010
【図２Ｃ】
2011183107.tif 000011
【図２Ｄ】
2011183107.tif 000012
【図３】
2011183107.tif 000013
【図４Ａ】
2011183107.tif 000014
【図４Ｂ】
2011183107.tif 000015
【図５Ａ】
2011183107.tif 000016
【図５Ｂ】
2011183107.tif 000017
【図６Ａ】
2011183107.tif 000018
【図６Ｂ】
2011183107.tif 000019
【図８】
2011183107.tif 000020
【図９】
2011183107.tif 000021
【図１０】
2011183107.tif 000022